(57)【要約】【課題】製造コストを上昇させることなく、また、施設、移動及び交換等の際の工事費用を低廉に抑えることができる漏洩同軸ケーブル装置を提供する。【解決手段】  中心導体、絶縁体、スロット部が形成された外部導体及び外被が同軸構造となされたＬＣＸ１と、このＬＣＸ１を収納した移動可能なケース２とを備えた。【選択図】図１
2012204846.tif 000002
【特許請求の範囲】
【請求項１】
中心導体と、この中心導体を被覆した絶縁体と、この絶縁体の外側を覆う外部導体とが同軸構造となされ、前記外部導体に漏洩電磁界形成用の複数のスロット部が形成され、前記外部導体が外被で覆われた漏洩同軸ケーブルと、
前記漏洩同軸ケーブルを収納した移動可能なケースと
を備えたことを特徴とする漏洩同軸ケーブル装置。
【請求項２】
前記ケースは、直線状、または、湾曲した形状の筒状体である
ことを特徴とする請求項１記載の漏洩同軸ケーブル装置。
【請求項３】
前記ケースは、直線状部分と湾曲した部分とが連続した筒状体である
ことを特徴とする請求項１記載の漏洩同軸ケーブル装置。
【請求項４】
前記ケースは、誘電体からなる
ことを特徴とする請求項１乃至請求項３のいずれか一に記載の漏洩同軸ケーブル装置。
【請求項５】
前記漏洩同軸ケーブルは、片端に、外部通信機器と接続されるためのリード用ケーブルが接続されている
ことを特徴とする請求項１乃至請求項４のいずれか一に記載の漏洩同軸ケーブル装置。
【請求項６】
前記ケースは、片端に、外部に向けた接続用コネクタを有しており、
前記接続用コネクタは、前記漏洩同軸ケーブルの片端に取り付けられた接続ケーブルによるか、直接に該漏洩同軸ケーブルに電気的に接続されている
ことを特徴とする請求項１乃至請求項４のいずれか一に記載の漏洩同軸ケーブル装置。
【発明の詳細な説明】
【技術分野】
【０００１】
本発明は、漏洩同軸ケーブル装置に関し、特に、特有の方法で収納された漏洩同軸ケーブルを備えた漏洩同軸ケーブル装置に関するものである。
【背景技術】
【０００２】
漏洩同軸ケーブル（以下、「ＬＣＸ」という。）は、図１１に示すように、内部導体１０２、絶縁体１０３、外部導体１０４及び外被（シース）１０５を備えて同軸状に構成され、従来より、新幹線沿いに布設されて列車と地上との無線連絡のために使用されたり、あるいは、地下鉄構内や地下街に布設されて地上との消防無線や警察無線の連絡用に、使用されている。このようなＬＣＸにおいては、同軸内部の電磁エネルギーを外部に漏洩させるために、外部導体１０４上に周期的なスロット部１０１が設けられている。
【０００３】
すなわち、ＬＣＸの外部導体１０４には、ケーブル軸に対して一定周期毎に、一周期当たり複数の長孔状のスロット部１０１が設けられている。各スロット部１０１は、ケーブル軸に対していくらかの角度を持って傾斜されている。なお、各スロット部１０１間の間隔が使用周波数の半波長と一致したり、その半波長の整数倍となったときには、共振状態となる。この周波数を共振周波数と呼ぶ。
【０００４】
このようなＬＣＸは、工場出荷時においては、ドラムに巻かれていることが多い。また、短い場合には、ドラムを使用せず、束状に巻かれていることもある。このようなＬＣＸを使用するときには、ドラムから外し、または、束から取り出すと、曲がり癖がついており、直線状にすることは容易ではない。
【０００５】
そこで、ＬＣＸは、図１２中の（ａ）に示すように、ケーブル専用の固定治具１０６により、設置場所に固定されて使用されている。ＬＣＸは、一般に、収納されること無く使用されるので、延線時に、使用場所に合わせて直線状、あるいは、直線状及び曲線状として、図１２中の（ｂ）に示すように、固定治具１０６及び取付けボルト１０７により固定して使用されていた。特許文献１には、ケーブル専用の支持具が記載されている。
【０００６】
また、特許文献２、特許文献３及び特許文献４には、ＬＣＸの外被の形状を、布設場所に固定できる特殊な構造にすることが記載されている。
【先行技術文献】
【特許文献】
【０００７】
【特許文献１】特開２００５−１３０５４３号公報
【特許文献２】実用新案登録第２５２１２０４号公報
【特許文献３】特開平８−２２３０９３号公報
【特許文献４】特開２００３−２２９７１６号公報
【発明の概要】
【発明が解決しようとする課題】
【０００８】
ところで、前述のような固定治具１０６、または、特許文献１に記載された支持具を用いてＬＣＸを固定する場合には、複数箇所において固定治具、または、支持具を使用しなければならず、固定作業に伴う人件費等が工事コストを上昇させている。また、一旦布設したＬＣＸは、固定治具、または、支持具により強固に固定されてしまうので、移動する際や、老朽化や外傷のために交換する際の工事費は高額なものとなっている。
【０００９】
また、特許文献２、特許文献３及び特許文献４に記載されたＬＣＸにおいては、外被を特殊な形状に加工しなければならないため、ＬＣＸの製造コストの上昇が招来される。
【００１０】
そこで、本発明は、前述の実情に鑑みて提案されるものであり、その目的は、製造コストを上昇させることなく、また、施設、移動及び交換等の際の工事費用を低廉に抑えることができる漏洩同軸ケーブル装置を提供することにある。
【課題を解決するための手段】
【００１１】
前述の課題を解決し、前記目的を達成するため、本発明に係る漏洩同軸ケーブル装置は、以下の構成のいずれか一を有するものである。
【００１２】
〔構成１〕
中心導体と中心導体を被覆した絶縁体と絶縁体の外側を覆う外部導体とが同軸構造となされ外部導体に漏洩電磁界形成用の複数のスロット部が形成され外部導体が外被で覆われたＬＣＸと、ＬＣＸを収納した移動可能なケースとを備えたことを特徴とするものである。
【００１３】
〔構成２〕
構成１を有する漏洩同軸ケーブル装置において、ケースは、直線状、または、湾曲した形状の筒状体であることを特徴とするものである。
【００１４】
〔構成３〕
構成１を有する漏洩同軸ケーブル装置において、ケースは、直線状部分と湾曲した部分とが連続した筒状体であることを特徴とするものである。
【００１５】
〔構成４〕
構成１乃至構成３のいずれか一を有する漏洩同軸ケーブル装置において、ケースは、誘電体からなることを特徴とするものである。
【００１６】
〔構成５〕
構成１乃至構成４のいずれか一を有する漏洩同軸ケーブル装置において、ＬＣＸは、片端に外部通信機器と接続されるためのリード用ケーブルが接続されていることを特徴とするものである。
【００１７】
〔構成６〕
構成１乃至構成４のいずれか一を有する漏洩同軸ケーブル装置において、ケースは、片端に外部に向けた接続用コネクタを有しており、接続用コネクタは、ＬＣＸの片端に取り付けられた接続ケーブルによるか、直接に該漏洩同軸ケーブルに電気的に接続されていることを特徴とするものである。
【発明の効果】
【００１８】
構成１を有する本発明に係る漏洩同軸ケーブル装置においては、ＬＣＸと、このＬＣＸを収納した移動可能なケースとを備えているので、無線通信環境がないエリアにもこの漏洩同軸ケーブル装置を持っていって置くだけで無線通信環境を構築することができる。
【００１９】
構成２を有する本発明に係る漏洩同軸ケーブル装置においては、ケースは、直線状、または、湾曲した形状の筒状体であるので、ＬＣＸを容易に直線状、または、湾曲状に保持することができる。
【００２０】
構成３を有する本発明に係る漏洩同軸ケーブル装置においては、ケースは、直線状部分と湾曲した部分とが連続した筒状体であるので、ＬＣＸを容易に直線状部分と湾曲した部分とを有する形状に保持することができる。
【００２１】
構成４を有する本発明に係る漏洩同軸ケーブル装置においては、ケースは、誘電体からなるので、ＬＣＸとケース外部空間との間の電磁波の授受が阻害されることがない。
【００２２】
構成５を有する本発明に係る漏洩同軸ケーブル装置においては、漏洩同軸ケーブルは、片端に外部通信機器と接続されるためのリード用ケーブルが接続されているので、ＬＣＸと外部通信機器との接続が容易に行える。
【００２３】
構成６を有する本発明に係る漏洩同軸ケーブル装置においては、ケースは、片端に外部に向けた接続用コネクタを有しており、
接続用コネクタは、ＬＣＸの片端に取り付けられた接続ケーブルによるか、直接に該漏洩同軸ケーブルに電気的に接続されているので、接続用コネクタを介して、ＬＣＸと外部通信機器との接続が容易に行える。
【００２４】
すなわち、本発明は、製造コストを上昇させることなく、また、施設、移動及び交換等の際の工事費用を低廉に抑えることができる漏洩同軸ケーブル装置を提供することができるものである。
【図面の簡単な説明】
【００２５】
【図１】本発明に係る漏洩同軸ケーブル装置の構成を示す斜視図である。
【図２】本発明に係る漏洩同軸ケーブル装置を構成するＬＣＸの構成を示す斜視図である。
【図３】本発明に係る漏洩同軸ケーブル装置を構成するケースの本体部の形状を示す三面図である。
【図４】本発明に係る漏洩同軸ケーブル装置を構成するケースのフタ部の形状を示す三面図である。
【図５】本発明に係る漏洩同軸ケーブル装置を構成するケースにおける本体部とフタ部との係合状態の一例を示す断面図である。
【図６】漏洩同軸ケーブル装置の結合損失を測定する測定系を示す斜視図である。
【図７】本発明に係る漏洩同軸ケーブル装置の結合損失を示すグラフである。
【図８】本発明に係る漏洩同軸ケーブル装置を構成するケースの他の例を示す斜視図である。
【図９】本発明に係る漏洩同軸ケーブル装置を構成するケースのさらに他の例を示す斜視図である。
【図１０】本発明に係る漏洩同軸ケーブル装置を構成するケースにコネクタを設けた構成を示す斜視図である。
【図１１】ＬＣＸの構成を示す側面図である。
【図１２】従来のＬＣＸの布設状態を示す斜視図である。
【発明を実施するための形態】
【００２６】
以下、本発明を実施するための形態について図面を参照して説明する。
【００２７】
図１は、本発明に係る漏洩同軸ケーブル装置の構成を示す斜視図である。
【００２８】
本発明に係る漏洩同軸ケーブル装置は、図１中の（ａ）及び（ｂ）に示すように、ＬＣＸ１を備えて構成される。ＬＣＸ１は、中心導体と、この中心導体を被覆した絶縁体と、この絶縁体の外側を覆う外部導体とが同軸構造となされ、外部導体が外被（シース）により覆われて構成されている。
【００２９】
そして、この漏洩同軸ケーブル装置は、ＬＣＸ１を収納した移動可能なケース２を備えている。ケース２は、図１中の（ａ）に示すように、直線状の筒状体（直方体状）とすることができる。また、ケース２は、図１中の（ｂ）に示すように、湾曲した筒状体としてもよい。さらに、ケース２は、直線状部分と湾曲した部分とが連続した筒状体としてもよい。
【００３０】
この漏洩同軸ケーブル装置において、ＬＣＸ１は、ケース２に収納されることにより、たとえ曲がり癖が付いていても、ケース２の形状にあった直線状態や、曲線状態に保持される。例えば、ケース２が直線状のものであれば、ＬＣＸ１は直線状になる。したがって、専用の固定治具を使うことなく、ＬＣＸ１を所為の形状とすることができる。また、ＬＣＸ１の外被も、固定のために特殊な形状にする必要がない。
【００３１】
ケース２は、ＬＣＸ１を直線状態や曲線状態に保持するに十分な剛性を有し、容易には変形しないようになっている。ケース２の材質は、電磁波を反射する金属体ではなく、合成樹脂材料など、誘電体材料とすることが望ましい。ケース２を誘電体材料から形成することにより、ＬＣＸ１とケース２の外部空間との電磁波の授受が阻害されることがない。ケース２を合成樹脂材料から形成する場合、例えば、押出成型法や射出成型法によって、容易にケース２を形成することができる。
【００３２】
この漏洩同軸ケーブル装置は、使用場所に固定せずに使用することができる。したがって、所望の場所に持ち運んで使用することができる。無線通信環境がないエリアでも、この漏洩同軸ケーブル装置を持っていって置くだけで、無線通信環境を構築することができる。
【００３３】
また、ケース２を誘電体材料から形成することにより、使用場所が金属の上であっても、また、付近に金属部材が存在する場合であっても、ＬＣＸ１と金属との間をケース２が離隔するので、ＬＣＸ１の送受信性能が劣化しない。
【００３４】
ケース２は、分解可能としておけば、容易にＬＣＸ１の交換を行うことができる。例えば、ケース２を本体部とフタ部とから構成し、これら本体部とフタ部とを、接着剤により固定しておけばよい。また、これら本体部とフタ部とは、一般のネジ、あるいは、特殊ネジにより固定してもよい。いずれの場合も、通常の使用状態では分解しない程度の堅牢性を有し、必要な場合には、工具等を用いて分解することができる。
【００３５】
また、ＬＣＸ１は、片端に、外部通信機器と接続されるためのリード用ケーブル３を接続しておくことが望ましい。リード用ケーブル３は、ケース２の外方に引き出される。リード用ケーブル３の先端部には、コネクタ４を取付ける。
【００３６】
さらに、ケース２には、片端に、外部に向けた接続用コネクタを設けてもよい。この接続用コネクタは、ＬＣＸ１の片端に取り付けられた接続ケーブルを介して、ＬＣＸ１と電気的に接続される。あるいは、接続用コネクタにＬＣＸ１のコネクタを直接接続してもよい。
【実施例】
【００３７】
図２は、本発明に係る漏洩同軸ケーブル装置を構成するＬＣＸの構成を示す斜視図である。
【００３８】
本発明の実施例として、図２に示すように、長さ１０００ｍｍ、外径が７ｍｍ、結合損失７５ｄＢ、インピーダンス５０ΩのＬＣＸ１を用いて、漏洩同軸ケーブル装置を構成した。ＬＣＸ１の両端部には、外径１５ｍｍ、長さ３０ｍｍのコネクタ４を取り付けた。
【００３９】
そして、ＬＣＸ１の入力側には、ＬＣＸ１と通信機器とを接続する外径３ｍｍ、長さ１ｍの一般の同軸ケーブルを接続した。そして、ＬＣＸの終端側には、終端部から不要な反射や漏洩が発生しないように、５０Ωの終端器を接続した。
【００４０】
図３は、本発明に係る漏洩同軸ケーブル装置を構成するケースの本体部の形状を示す三面図である。
【００４１】
ケース２の材質は、ポリエチレンとした。図３に示すように、ケース２の本体部２ａは、直方体形状とし、長さ１１７０ｍｍ、横断面を１９ｍｍ×１９ｍｍとした。本体部２ａの中央部には、ＬＣＸ１が収納される幅８ｍｍ、深さ８ｍｍの溝５を設けた。溝５の両端側は、コネクタ部４が入るように、幅１５ｍｍ、深さ１５ｍｍに拡径されている。
【００４２】
図４は、本発明に係る漏洩同軸ケーブル装置を構成するケースのフタ部の形状を示す三面図である。
【００４３】
図４に示すように、ケース２のフタ部２ｂは、幅は本体と同じ１９ｍｍで、厚さは２ｍｍの平板状のものとした。
【００４４】
図５は、本発明に係る漏洩同軸ケーブル装置を構成するケースにおける本体部とフタ部との係合状態の一例を示す断面図である。
【００４５】
ケース２の本体部２ａの端部には、図５に示すように、フタ部２ｂの端部に設けた係合片６が係合する係合凹部７を設けた。フタ部２ｂは、本体部２ａに対して、圧入して係合片６を係合凹部７に係合させることによって固定することができ、また、専用工具で強い力を加えれば、外すことができるようになっている。
【００４６】
図６は、漏洩同軸ケーブル装置の結合損失を測定する測定系を示す斜視図である。
【００４７】
そして、図２に示したＬＣＸ１を、図３及び図４に示したケース２に収納して、漏洩同軸ケーブル装置を構成し、ＬＣＸ１が正常に機能するかどうかを確認した。ＬＣＸ１を収納したケース２は、図６に示すように、机８の上に設置した。そして、ＬＣＸ１に、発信器９から２．４ＧＨｚの試験信号を電力Ｐin（Ｗ）で入力した。
【００４８】
ＬＣＸ１の上方１．５ｍの位置で、半波長標準ダイポールアンテナＡをＬＣＸ１に沿って移動させ、その際のアンテナ出力Ｐout（Ｗ）を受信器１０で測定した。
【００４９】
Ｐin及びＰoutから、ＬＣＸ１の放射性能を表す結合損失Ｌｃを測定した。結合損失Ｌｃとは、ＬＣＸ１ヘの入力電力Ｐinと、ＬＣＸ１の外部に配置した半波長標準ダイポールアンテナＡからの出力電力Ｐoutとの比であり、Ｌｃ＝−１０log（Ｐout／Ｐin）（ｄＢ）で計算できる。すなわち、結合損失Ｌｃは、ＬＣＸ１からの電磁波の放射効率を示す。逆に、受信する場合は受信効率となり、数値は同じである。
【００５０】
図７は、本発明に係る漏洩同軸ケーブル装置の結合損失を示すグラフである。
【００５１】
ここで使用したＬＣＸ１は、結合損失が７５ｄＢとなるように設計してある。図７に示すように、結合損失Ｌｃは、幅１０ｄＢ程度の変動はあるものの、平均値は７５ｄＢであり、ＬＣＸ１が問題なく機能していることがわかった。また、ケース２による遮蔽などの悪影響もなかった。
【００５２】
図８は、本発明に係る漏洩同軸ケーブル装置を構成するケースの他の例を示す斜視図である。図８中の（ａ）に示すケース２は、円形（円環状）のケースである。図８中の（ｂ）に示すケース２は、長方形環状のケースである。図８中の（ｃ）に示すケース２は、波型のケースである。
【００５３】
次に、各種形状のケース２にＬＣＸ１を収納して実験した。通信環境が、例えば、円形のテーブルを有する会議室などの場合は、図８中の（ａ）に示すように、円形（円環状）のケースが好適であった。また、テーブルの幅が広い場合には、テーブルの両側面に通信環境を提供するために、図８中の（ｂ）及び（ｃ）に示すように、長方形環状のケースや波型のケースが好適であった。
【００５４】
なお、このようなケース２は、合成樹脂材料の押出成形、すなわち、モールド製法で製造することができる。
【００５５】
図９は、本発明に係る漏洩同軸ケーブル装置を構成するケースのさらに他の例を示す斜視図である。図９中の（ａ）に示すケース２は、フタ部２ｂと本体部２ａとを接着剤で強固に固定したものである。図９中の（ｂ）に示すケース２は、フタ部２ｂと本体部２ａとを、一般のネジか、あるいは、特殊ネジで固定したものである。
【００５６】
ＬＣＸ１に傷をつけられたり、悪戯をされたりしないようにするために、本体部２ａとフタ部２ｂとを強固に固定するには、図９中の（ａ）に示すように、これら本体部２ａとフタ部２ｂとを接着剤で固定すればよい。また、図９中の（ｂ）に示すように、これら本体部２ａとフタ部２ｂとを、ツーホールネジ、トライウイングネジや、ワンサイドネジ等の特殊ネジ１１で固定してもよい。
【００５７】
図８中の（ａ）、（ｂ）、（ｃ）、図９中の（ａ）、（ｂ）に示す各種ケースに対して、前述と同様のＬＣＸ１を収納し、漏洩同軸ケーブル装置を構成して、図６に示した実験系で測定したところ、すべて設計値どおりの結合損失７５ｄＢが得られ、問題がないことが確認された。
【００５８】
図１０は、本発明に係る漏洩同軸ケーブル装置を構成するケースにコネクタを設けた構成（コネクタ接続型）を示す斜視図である。
【００５９】
以上説明した構成では、通信機器ヘのＬＣＸ１の接続は、ＬＣＸ１の入射側に取り付けたリード用ケーブル３を用いて行っていたが、図１０に示すように、ケース２に接続用コネクタ１２を取り付けてもよい。この接続用コネクタ１２は、ケース２の内部において、ＬＣＸ１の片端に取り付けられた内部接続ケーブル１３を介して、ＬＣＸ１と電気的に接続される。また、ＬＣＸ１は、接続用コネクタに直接接続してもよい。
【００６０】
このようにすれば、ＬＣＸ１を収納したケース２から引き出されるケーブルがなくなり、持ち運びが容易となる。外部の通信機器との接続は、別途用意した両端コネクタ付同軸ケーブルで行うことができる。
【産業上の利用可能性】
【００６１】
本発明は、漏洩同軸ケーブル装置に適用され、特に、特有の方法で収納された漏洩同軸ケーブルを備えた漏洩同軸ケーブル装置に適用される。
【符号の説明】
【００６２】
１    スロット部
２    中心導体
３    絶縁体
４    外部導体
５    外被（シース）
【図１】
2012204846.tif 000003
【図２】
2012204846.tif 000004
【図３】
2012204846.tif 000005
【図４】
2012204846.tif 000006
【図５】
2012204846.tif 000007
【図６】
2012204846.tif 000008
【図７】
2012204846.tif 000009
【図８】
2012204846.tif 000010
【図９】
2012204846.tif 000011
【図１０】
2012204846.tif 000012
【図１１】
2012204846.tif 000013
【図１２】
2012204846.tif 000014